(57)【要約】【課題】受験生によるカンニングや試験問題漏えいといった不正行為を防止すること。【解決手段】ＲＦＩＤタグ付き電子ペーパを携帯した受験生の着席位置を試験会場に設けられたＲＦＩＤタグリーダが取得し、取得した着席位置をサーバ装置に対して送信するよう構成する。そして、サーバ装置は、受験生の着席位置およびこの着席位置の近隣の座席に対して出題した設問列に基づいて近隣の座席と重複しない配列の設問列を出題するよう構成する。さらに、電子ペーパは、受験生が解答を完了したならば出題した設問列を消去するよう構成した。【選択図】        図２
2007257537.tif 000002
【特許請求の範囲】
【請求項１】
試験会場に設けられた座席に着席した受験生に対して試験を実施する試験実施方法であって、
受験生が着席した座席位置を取得する位置取得工程と、
前記位置取得工程が取得した前記座席位置に基づき、所定の距離以内に着席した受験生に対して異なる出題順序の設問列を出題する設問列出題工程と
を含んだことを特徴とする試験実施方法。
【請求項２】
前記位置取得工程は、
各受験生に割り当てられた非接触型ＩＣタグを前記試験会場に設けられたＩＣタグリーダが読み取ることによって前記座席位置を取得することを特徴とする請求項１に記載の試験実施方法。
【請求項３】
試験会場に設けられた座席に着席した受験生に対して試験を実施する試験実施システムであって、
受験生が着席した座席位置を取得する位置取得手段と、
前記位置取得手段が取得した前記座席位置に基づき、所定の距離以内に着席した受験生に対して異なる出題順序の設問列を出題する設問列出題手段と
を備えたことを特徴とする試験実施システム。
【発明の詳細な説明】
【技術分野】
【０００１】
この発明は、試験会場に設けられた座席に着席した受験生に対して試験を実施する試験実施方法および試験実施システムに関し、特に、受験生によるカンニングや試験問題漏えいといった不正行為を防止することができる試験実施方法および試験実施システムに関する。
【背景技術】
【０００２】
従来から、学校や職場でおこなわれる試験においては、受験生によるカンニングや試験問題漏えいといった不正行為が問題となっている。特に、近年では、いわゆるマークシート方式による試験が増加しているが、このような選択式の試験では解答番号を盗み見ることが容易であり不正行為の横行が懸念されている。
【０００３】
このような不正行為に対応するため、複数の設問からなる試験問題の設問順序を変更したうえで受験生に対して配布する技術が種々提案されている。たとえば、特許文献１には、受験生に配布する試験用紙のセット（問題用紙および解答用紙）に設問配列のバリエーションをもたせる技術が開示されている。
【０００４】
また、特許文献２には、受験生ごとに用意したパーソナルコンピュータに対して設問配列をランダムに並び替えた試験問題を出題し、受験生による回答を収集して採点する試験実施システムが開示されている。
【０００５】
【特許文献１】特開２００１−８０２４４号公報
【特許文献２】特開２００３−１６１９９号公報
【発明の開示】
【発明が解決しようとする課題】
【０００６】
しかしながら、特許文献１の技術は、設問配列が異なる試験用紙のセットを複数用意するものであるので、設問が少ない場合などに近隣の受験生に対して同一の設問配列を有する試験用紙のセットが配布されるおそれがある。なお、受験生の着席位置があらかじめ定められている場合には近隣の受験生に対して同一の設問配列を有する試験問題のセットが配布されないよう調整することは可能であるが、着席位置を自由に選択することができる試験の場合にはこのような調整をおこなうことは困難である。
【０００７】
また、特許文献２の技術は、設問配列をランダムに並びかえた試験問題を出題するものであるので、特許文献１の技術と同様に、近隣の受験生に対して同一の設問配列を有する試験問題が出題されるおそれがある。
【０００８】
これらのことから、受験生によるカンニングや試験問題漏えいといった不正行為を効果的に防止することができる試験実施手法をいかにして実現するかが大きな課題となっている。
【０００９】
この発明は、上述した従来技術による問題点を解消するためになされたものであり、受験生によるカンニングや試験問題漏えいといった不正行為を効果的に防止することができる試験実施方法および試験実施システムを提供することを目的とする。
【課題を解決するための手段】
【００１０】
上述した課題を解決し、目的を達成するため本発明は、試験会場に設けられた座席に着席した受験生に対して試験を実施する試験実施方法であって、受験生が着席した座席位置を取得する位置取得工程と、前記位置取得工程が取得した前記座席位置に基づき、所定の距離以内に着席した受験生に対して異なる出題順序の設問列を出題する設問列出題工程とを含んだことを特徴とする。
【００１１】
また、本発明は、上記の発明において、前記位置取得工程は、各受験生に割り当てられた非接触型ＩＣタグを前記試験会場に設けられたＩＣタグリーダが読み取ることによって前記座席位置を取得することを特徴とする。
【００１２】
また、本発明は、上記の発明において、試験会場に設けられた座席に着席した受験生に対して試験を実施する試験実施システムであって、受験生が着席した座席位置を取得する位置取得手段と、前記位置取得手段が取得した前記座席位置に基づき、所定の距離以内に着席した受験生に対して異なる出題順序の設問列を出題する設問列出題手段とを備えたことを特徴とする。
【発明の効果】
【００１３】
本発明によれば、受験生が着席した座席位置を取得し、取得した座席位置に基づき、所定の距離以内に着席した受験生に対して異なる出題順序の設問列を出題するよう構成したので、受験生が周囲の受験生の解答をカンニングしようとしても、周囲の受験生に出題された設問の配列はそれぞれ異なるのでカンニングなどの不正行為を効果的に防止することができるという効果を奏する。
【００１４】
また、本発明によれば、各受験生に割り当てられた非接触型ＩＣタグを試験会場に設けられたＩＣタグリーダが読み取ることによって座席位置を取得するよう構成したので、試験会場における受験生の着席位置を正確かつ効率的に取得することができるという効果を奏する。また、着席位置が自由な試験においても受験生の着席位置を確実に取得することができるという効果を奏する。
【発明を実施するための最良の形態】
【００１５】
以下に添付図面を参照して、この発明に係る試験実施手法の好適な実施例を詳細に説明する。なお、以下では、各受験生にＲＦＩＤ（Radio  Frequency  Identification）タグ付き電子表示媒体（たとえば、いわゆる電子ペーパ）を配布し、サーバ装置がこの電子ペーパへ問題を送信するとともに受験生の解答を受信することによって採点をおこなう試験実施システムについて説明することとする。また、電子ペーパは問題を表示する機能を有するとともに、受験生の解答を入力する機能および解答を送信する機能を有するものとする。
【実施例】
【００１６】
まず、本発明に係る試験実施手法の概要について図１を用いて説明する。図１は、本発明に係る試験実施手法の概要を示す図である。同図に示すように、試験会場には、Ａ１、Ｂ１、Ｃ１といった座席と、ＲＦＩＤタグリーダとが設けられている。また、ＲＦＩＤタグリーダとサーバ装置とはＬＡＮ（Local  Area  Network）ケーブルなどの回線で接続されている。
【００１７】
そして、受験生は、受け付けなどで配布されたＲＦＩＤタグ付き電子ペーパを持っており、試験会場に設けられた座席から好みの座席を選択して着席する（自由着席）。たとえば、図１に示した受験生が座席Ｂ２に着席し（図１の（１）参照）、電子ペーパの「座席確定ボタン」を押下するとＲＦＩＤタグリーダが着席位置を取得して（図１の（２）参照）、取得した着席位置をサーバ装置へと送信する。なお、ＲＦＩＤタグリーダが、着席位置とともに受験生を一意に識別する識別子（たとえば、受験番号や学籍番号）をＲＦＩＤタグから取得することとしてもよい。
【００１８】
サーバ装置は、複数の設問および各設問の正解を管理する問題マスタおよび各受験生の着席位置、受験番号、各受験生に出題された設問配列などを管理する試験管理マスタを備えている。そして、このサーバ装置がＲＦＩＤタグリーダからの着席位置を受信すると、試験管理マスタを参照することによって近隣（たとえば、所定距離以内）の座席と重複しない配列の設問列を生成したうえで生成した設問列を受験生の電子ペーパに対して出題する（図１の（３）参照）。
【００１９】
具体的には、サーバ装置は、Ｂ２に着席した受験生に対する設問列を生成する際に、座席Ｂ２の近隣の座席（たとえば、Ａ１、Ｂ１、Ｃ１、Ａ２、Ｃ２、Ａ３、Ｂ３およびＣ３）の受験生に対して出題された設問配列を試験管理マスタから取得し、これらの座席の設問配列と一致しなくなるまで問題マスタの各設問の順序をシャッフルする。なお、サーバ装置から設問列を受け取った電子ペーパは設問列を表示し（図１の（４）参照）、受験生は各設問に対する解答を電子ペーパに対して入力していくことになる。
【００２０】
このように、本発明に係る試験実施手法では、ＲＦＩＤタグ付き電子ペーパを携帯した受験生の着席位置を試験会場に設けられたＲＦＩＤタグリーダが取得し、取得した着席位置をサーバ装置に対して送信するよう構成した。そして、サーバ装置は、受験生の着席位置およびこの着席位置の近隣の座席に対して出題した設問列に基づいて近隣の座席と重複しない配列の設問列を出題するよう構成した。
【００２１】
すなわち、受験生が周囲の受験生の解答をカンニングしようとしても、周囲の受験生に出題された設問の配列はそれぞれ異なるのでカンニングなどの不正行為を効果的に防止することができる。また、受験生が解答を終了した際に、電子ペーパ上の設問列を消去することで試験問題の漏えいを効果的に防止することができる。
【００２２】
次に、本発明に係る試験実施手法を適用した試験実施システムの構成について図２を用いて説明する。図２は、試験実施システムの構成を示す図である。同図に示すように、試験実施システム１は、サーバ装置１０と、各受験生が携帯するＲＦＩＤタグ２１付きの電子ペーパ２０と、試験会場に設置されたＲＦＩＤタグリーダ３０とから構成される。
【００２３】
なお、サーバ装置１０とＲＦＩＤタグリーダ３０とは回線で接続することとしてもよいし、無線でデータ送受信をおこなうこととしてもよい。また、電子ペーパ２０は、ＲＦＩＤタグ２１を介することによってＲＦＩＤタグリーダ３０およびサーバ装置１０と無線通信するものとする。なお、電子ペーパ２０は、ＲＦＩＤタグリーダ３０とのみ通信をおこなうものとし、ＲＦＩＤタグリーダ３０を介することによってサーバ装置１０と通信するよう構成してもよい。
【００２４】
サーバ装置１０は、制御部１１および記憶部１２を備えており、制御部１１は、受験者情報取得部１１ａと、設問列生成部１１ｂと、出題処理部１１ｃと、採点処理部１１ｄとをさらに備えている。また、記憶部１２は、各受験生の試験状況を管理する試験管理マスタ１２ａおよび複数の設問および各設問の正解を管理する問題マスタ１２ｂを記憶する。
【００２５】
制御部１１は、ＲＦＩＤタグリーダ３０から着席位置や受験番号といった受験者情報を受け取るとともに、この着席位置の近隣の座席に対して出題した設問列とは配列が異なる設問列を生成し、生成した設問列を電子ペーパ２０に対して出題する処理をおこなう処理部である。
【００２６】
受験者情報取得部１１ａは、ＲＦＩＤタグリーダ３０から受け取った受験者情報を記憶部１２の試験管理マスタ１２ａに登録するとともに、あらたな受験生が着席した旨を設問列生成部１１ｂに対して通知する処理をおこなう処理部である。
【００２７】
設問列生成部１１ｂは、あらたな受験生の着席位置と、試験管理マスタ１２ａから取得した近隣座席の設問配列とに基づいて近隣座席と重複しない配列の設問列を生成する処理部である。また、この設問列生成部１１ｂは、出題した設問列を試験管理マスタ１２ａに対して登録するとともに、生成した設問列を出題処理部１１ｃへ渡す処理をおこなう処理部でもある。
【００２８】
出題処理部１１ｃは、設問列生成部１１ｂから受け取った設問列を電子ペーパ２０に対して送信する処理をおこなう処理部である。また、採点処理部１１ｄは、電子ペーパ２０から受け取った解答を、問題マスタ１２ｂの正解と対比することによって採点をおこない、採点結果を試験管理マスタ１２ａに対して登録する処理をおこなう処理部である。
【００２９】
記憶部１２は、不揮発性ＲＡＭ（Random  Access  Memory）やハードディスク装置、ストレージ装置といった記憶デバイスによって構成される記憶部であり、試験管理マスタ１２ａおよび問題マスタ１２ｂを記憶する。試験管理マスタ１２ａは、各受験生の試験状況を管理する情報である。ここで、この試験管理マスタ１２ａの例について図３を用いて説明する。図３は、試験管理マスタ１２ａの一例を示す図である。
【００３０】
図３に示すように、試験管理マスタ１２ａは、ＲＦＩＤタグリーダ３０がＲＦＩＤタグ２１から読み取った「受験番号」と、ＲＦＩＤタグリーダ３０が取得したＲＦＩＤタグ２１の位置をあらわす「座席位置」と、各受験生の電子ペーパ２０に対して出題した設問の順序をあらわす「設問配列」と、各受験生が試験を完了したか否かをあらわす「試験完了フラグ」と、採点結果をあらわす「点数」とを含んだレコードを管理する。
【００３１】
たとえば、図３に示したように、受験番号が「０００７」の受験生は、座席Ｂ２に着席し、この受験生には問１、問３、問２、問５、問４の順序で出題がなされ、試験中であることがあらわされている。また、受験番号が「３２１０」の受験生は、座席Ｃ３に着席し、この受験生には問４、問３、問２、問１、問５の順序で出題がなされ、既に試験を完了して点数が１点であることがあらわされている。
【００３２】
問題マスタ１２ｂは、複数の設問および各設問の正解を管理する情報である。ここで、この問題マスタ１２ｂの例について図４を用いて説明する。図４は、問題マスタ１２ｂの一例を示す図である。
【００３３】
図４に示すように、問題マスタ１２ｂは、各設問を一意に識別する「設問番号」と、問題文そのものをあらわす「設問内容」と、各設問の正解をあらわす「正解」とを含んだレコードを管理する。たとえば、同図に示したように、設問番号が「１」の設問の設問内容は「○○○○…」であり、正解は１であることがあらわされている。また、設問番号が「２」の設問内容は「△△△△…」であり、正解は４であることがあらわされている。
【００３４】
電子ペーパ２０は、ＲＦＩＤ２１を有しておりＲＦＩＤタグリーダ３０に対して受験生の着席位置や受験番号などの識別子を提供するとともに、サーバ装置１０から受け取った設問列の表示および受験生による解答のサーバ装置１０への送信をおこなう装置である。そして、この電子ペーパ２０は、ＲＦＩＤタグ２１と、表示部２２と、入力部２３とを備えている。
【００３５】
ＲＦＩＤタグ２１は、受験生を一意に識別する識別子（たとえば、受験番号）を記憶するととともに、ＲＦＩＤタグリーダ３０やサーバ装置１０と無線通信をおこなう機能を備えた非接触型ＩＣタグである。また、表示部２２は、サーバ装置１０から受け取った設問列を表示する処理をおこなう処理部であり、入力部２３は、受験生による解答の入力、座席確定の入力、解答完了の入力などの入力を受け付ける処理をおこなう処理部である。
【００３６】
ＲＦＩＤタグリーダ３０は、ＲＦＩＤタグの読み取り装置であり試験会場内に複数台設置されるとともに、各ＲＦＩＤタグリーダ３０は、有線または無線でサーバ装置１０と接続される。なお、本実施例においては、このＲＦＩＤタグリーダ３０を各座席以外の場所に少数個（少なくとも２個）設置し、ＲＦＩＤタグ２１の位置を特定する場合について説明する。しかしながら、これに限らず、各座席にＲＦＩＤタグリーダ３０を設置することとしてもよい。
【００３７】
次に、本実施例に係る試験実施システム１の処理概要について図５を用いて説明する。図５は、試験実施システム１の処理概要を示すシーケンス図である。同図に示すように、ＲＦＩＤタグ２１付き電子ペーパ２０を携帯する受験生が席を確定し、電子ペーパ上の「座席確定ボタン」を押下すると（ステップＳ１０１）、ＲＦＩＤタグリーダ３０は、ＲＦＩＤタグ２１の位置を特定することによって座席情報を取得する（ステップＳ１０２）。なお、ステップＳ１０２においてＲＦＩＤタグ２１から受験生の受験番号などの識別子を取得することとしてもよい。
【００３８】
つづいて、ＲＦＩＤタグリーダ３０は取得した座席情報をサーバ装置１０に対して送信し、この座席情報を受け取ったサーバ装置１０は、この座席から所定距離内に受験中の座席があるか否かを判定する（ステップＳ１０３）。ここで、ステップＳ１０３の処理内容を図６を用いてさらに詳細に説明しておく。図６は、着席位置の例を示す図である。なお、図６においてはあらたな受験生が座席Ｂ２に着席した場合について示している。
【００３９】
図６の６１に示すように、ステップＳ１０３では、受験生が着席した座席Ｂ２から所定距離内にある座席（６１の破線の円参照）を抽出する。たとえば、図６の６１に示した場合には、座席Ｂ２を取り囲む８個の座席を抽出する。つづいて、ステップＳ１０３では、試験管理マスタ１２ａの「試験完了フラグ」を参照することによって、これらの座席における試験完了状況を検査する。
【００４０】
たとえば、図６の６２に示した場合には、Ｂ２を取り囲む８個の座席がすべて受験中（試験完了フラグがＯＦＦ）であるので、座席から所定距離内に受験中の座席があると判定する。また、図６の６３に示した場合には、Ａ１、Ｂ１およびＣ１には未だ受験生が着席しておらず（該当するレコードなし）、Ａ３、Ｂ３およびＣ３では試験完了（試験完了フラグがＯＮ）しているが、Ａ２およびＣ２では受験中（試験完了フラグがＯＦＦ）であるので、図６の６２と同じく座席から所定距離内に受験中の座席があると判定する。
【００４１】
図５の説明に戻って、ステップＳ１０３以降の処理手順についての説明をつづける。ステップＳ１０３において座席から所定距離内に受験中の座席があると判定された場合には（ステップＳ１０３，Ｙｅｓ）、問題マスタ１２ｂが管理する設問を並べ替えることによって設問列を生成する処理をおこなう（ステップＳ１０４）。なお、この設問列生成処理（ステップＳ１０４）の詳細な処理手順については図７を用いて後述する。
【００４２】
一方、ステップＳ１０３において座席から所定距離内に受験中の座席がないと判定された場合には（ステップＳ１０３，Ｎｏ）、問題マスタ１２ｂが管理する設問を一般的な乱数を用いて並べ替えることによって設問列を決定する（ステップＳ１０５）。
【００４３】
つづいて、サーバ装置１０は、決定した設問列を電子ペーパ２０に送信することによって設問列の出題をおこなう（ステップＳ１０６）。そして、サーバ装置１０から設問列を受信した電子ペーパ２０は、受信した設問列を表示する（ステップＳ１０７）。
【００４４】
次に、図５に示した設問生成処理（ステップＳ１０４）の詳細な処理手順について図７を用いて説明する。図７は、設問列生成処理の処理概要を示すフローチャートである。同図に示すように、サーバ装置１０の設問列生成部１１ｂは、問題マスタ１２ｂが管理する設問を一般的な乱数を用いて並べ替えることによって設問列を生成する（ステップＳ２０１）。
【００４５】
つづいて、試験管理マスタ１２ａを参照することによって座席から所定距離内の座席における設問列（ただし、試験完了フラグがＯＦＦである座席の設問列に限る）が、ステップＳ２０１で生成した設問列と同一であるか否かを判定する（ステップＳ２０２）。
【００４６】
そして、ステップＳ２０１で生成した設問列が、座席から所定距離内のいずれかの座席に出題された設問列と同一である場合には（ステップＳ２０２，Ｙｅｓ）、設問列を再生成するためにステップＳ２０１以降の処理を繰り返す。一方、ステップＳ２０２の判定条件を満たさなかった場合には（ステップＳ２０２，Ｎｏ）、設問列を確定したうえで（ステップＳ２０３）受験生の座席位置および識別子（たとえば、受験番号）と関連付けて試験管理マスタ１２ａへ登録し（ステップＳ２０４）、処理を終了する。
【００４７】
次に、採点処理の処理手順について図８を用いて説明する。図８は、採点処理の処理手順を示すシーケンス図である。同図に示すように、ＲＦＩＤタグ２１付き電子ペーパ２０に表示された設問列の解答を終えた受験生が、入力部２３の「解答完了ボタン」を押下すると（ステップＳ３０１）、電子ペーパ２０は出力部２２に表示中の設問列を消去する（ステップＳ３０２）。
【００４８】
つづいて、電子ペーパ２０は、受験生の解答をサーバ装置１０へと送信し（ステップＳ３０３）、解答を受けたサーバ装置１０の採点処理部１１ｄは、試験管理マスタ１２ａの該当する座席に対応する試験完了フラグをＯＮにする（ステップＳ３０４）。つづいて、採点処理部１１ｄは、問題マスタ１２ｂが管理する正解を参照することによって電子ペーパ２０から受けた解答の採点をおこない採点結果を試験管理マスタ１２ａに登録して（ステップＳ３０５）処理を終了する。
【００４９】
上述してきたように、本実施例によれば、ＲＦＩＤタグ付き電子ペーパを携帯した受験生の着席位置を試験会場に設けられたＲＦＩＤタグリーダが取得し、取得した着席位置をサーバ装置に対して送信するよう構成した。そして、サーバ装置は、受験生の着席位置およびこの着席位置の近隣の座席に対して出題した設問列に基づいて近隣の座席と重複しない配列の設問列を出題するよう構成した。さらに、電子ペーパは受験生が解答を完了したならば出題した設問列を消去するよう構成した。
【００５０】
したがって、受験生が周囲の受験生の解答をカンニングしようとしても、周囲の受験生に出題された設問の配列はそれぞれ異なるのでカンニングなどの不正行為を効果的に防止することができる。また、受験生が解答を終了した際に、電子ペーパ上の設問列を消去することで試験問題の漏えいを効果的に防止することができる。
【００５１】
また、上記した実施例では、本発明を実現する各装置を機能面から説明したが、各装置の各機能はパーソナルコンピュータやワークステーションなどのコンピュータにプログラムを実行させることによって実現することもできる。
【００５２】
すなわち、上述した各種の処理手順は、あらかじめ用意されたプログラムをコンピュータ上で実行することによって実現することができる。そして、これらのプログラムは、インターネットなどのネットワークを介して配布することができる。さらに、これらのプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００５３】
（付記１）試験会場に設けられた座席に着席した受験生に対して試験を実施する試験実施方法であって、受験生が着席した座席位置を取得する位置取得工程と、前記位置取得工程が取得した前記座席位置に基づき、所定の距離以内に着席した受験生に対して異なる出題順序の設問列を出題する設問列出題工程とを含んだことを特徴とする試験実施方法。
【００５４】
（付記２）前記位置取得工程は、各受験生に割り当てられた非接触型ＩＣタグを前記試験会場に設けられたＩＣタグリーダが読み取ることによって前記座席位置を取得することを特徴とする付記１に記載の試験実施方法。
【００５５】
（付記３）前記設問列出題工程は、前記所定の距離以内に着席した受験生のうち試験を完了した受験生を除外したうえで前記異なる出題順序の設問列を出題することを特徴とする付記１または２に記載の試験実施方法。
【００５６】
（付記４）前記設問列出題工程は、特定の受験生に対して前記設問列を出題するに際し、当該特定の受験生の前記座席位置から所定の距離以内に既に着席している他の受験生に出題した前記設問列とは異なる設問列となるまで前記出題順序の変更を繰り返すことを特徴とする付記１、２または３に記載の試験実施方法。
【００５７】
（付記５）前記位置取得工程は、前記座席位置とともに前記受験生を一意に識別する識別子を取得し、前記位置取得工程が取得した前記識別子および各受験生に出題した前記出題順序に基づいて前記設問列に対する回答の採点をおこなう採点工程をさらに含んだことを特徴とする付記１〜４のいずれか一つに記載の試験実施方法。
【００５８】
（付記６）前記設問列出題工程は、前記非接触型ＩＣタグを含んだ電子ペーパに対して前記設問列を出題し、前記受験生が回答を完了したならば前記電子ペーパに対して出題した前記設問列を消去することを特徴とする付記１〜５のいずれか一つに記載の試験実施方法。
【００５９】
（付記７）試験会場に設けられた座席に着席した受験生に対して試験を実施する試験実施システムであって、受験生が着席した座席位置を取得する位置取得手段と、前記位置取得手段が取得した前記座席位置に基づき、所定の距離以内に着席した受験生に対して異なる出題順序の設問列を出題する設問列出題手段とを備えたことを特徴とする試験実施システム。
【００６０】
（付記８）前記位置取得手段は、各受験生に割り当てられた非接触型ＩＣタグを前記試験会場に設けられたＩＣタグリーダが読み取ることによって前記座席位置を取得することを特徴とする付記７に記載の試験実施システム。
【００６１】
（付記９）前記設問列出題手段は、前記所定の距離以内に着席した受験生のうち試験を完了した受験生を除外したうえで前記異なる出題順序の設問列を出題することを特徴とする付記７または８に記載の試験実施システム。
【産業上の利用可能性】
【００６２】
以上のように、本発明に係る試験実施方法および試験実施システムは、受験生によるカンニングや試験問題漏えいといった不正行為の防止に有用であり、特に、試験会場における受験生の着席位置があらかじめ決められていない試験における不正行為の防止に適している。
【図面の簡単な説明】
【００６３】
【図１】本発明に係る試験実施手法の概要を示す図である。
【図２】試験実施システムの構成を示すブロック図である。
【図３】試験管理マスタの一例を示す図である。
【図４】問題マスタの一例を示す図である。
【図５】試験実施システムの処理概要を示すシーケンス図である。
【図６】着席位置の例を示す図である。
【図７】設問列生成処理の処理概要を示すフローチャートである。
【図８】採点処理の処理手順を示すシーケンス図である。
【符号の説明】
【００６４】
１  試験実施システム
１０  サーバ装置
１１  制御部
１１ａ  受験者情報取得部
１１ｂ  設問列生成部
１１ｃ  出題処理部
１１ｄ  採点処理部
１２  記憶部
１２ａ  試験管理マスタ
１２ｂ  問題マスタ
２０  電子ペーパ
２１  ＲＦＩＤタグ
２２  表示部
２３  入力部
３０  ＲＦＩＤタグリーダ
【図１】
2007257537.tif 000003
【図２】
2007257537.tif 000004
【図３】
2007257537.tif 000005
【図４】
2007257537.tif 000006
【図５】
2007257537.tif 000007
【図６】
2007257537.tif 000008
【図７】
2007257537.tif 000009
【図８】
2007257537.tif 000010